(57)【要約】【課題】簡単な構造で、焼入れ温度まで加熱された鋼材と金型との部分的な接触を避け、かつ当該鋼材の部分的な収縮を防止することにより、製品の寸法精度向上を図り、高品質の製品を生産することが可能なダイクエンチ工法におけるプレス加工装置を提供することにある。  【解決手段】焼入れ温度まで加熱された鋼材１０を上下一対の金型２，３によってプレス成形すると共に、焼入れするためのダイクエンチ工法におけるプレス加工装置であって、下型３の上面には、加熱された鋼材１０を設置する複数の突起４がプレス金型１の幅方向の両側で、かつ長手方向に沿って間隔を置いて設けられている、【選択図】図１
2009101378.tif 000002
【特許請求の範囲】
【請求項１】
焼入れ温度まで加熱された鋼材を上下一対の金型によってプレス成形すると共に、焼入れするためのダイクエンチ工法におけるプレス加工装置であって、
前記下型の上面には、前記加熱された鋼材を設置する複数の突起が前記金型の幅方向の両側で、かつ長手方向に沿って間隔を置いて設けられていることを特徴とするプレス加工装置。
【請求項２】
前記突起は固定式の突起であり、これら固定式の突起は、前記金型を構成する上下型の成形領域外に設けられている一方、前記上型の下面には、型締め時に前記突起を逃がす複数の凹部が前記突起と対応する位置に設けられていることを特徴とする請求項１に記載のプレス加工装置。
【請求項３】
前記突起は、前記下型の上面に対して出没自在に構成された可動式の突起であり、これら可動式の突起は、前記金型を構成する上下型の成形領域内に設けられていることを特徴とする請求項１に記載のプレス加工装置。
【発明の詳細な説明】
【技術分野】
【０００１】
本発明は、ダイクエンチ工法（熱間プレス工法）において、焼入れ温度まで加熱された鋼材を上下一対の金型によってプレス成形すると共に、焼入れするためのプレス加工装置に関する。
【背景技術】
【０００２】
現在、自動車部品等の分野では、自動車部品の軽量化及び使用材質の適材化などを図るために、ダイクエンチ工法（熱間プレス工法）によりドアビームやバンパー等の各種高強度部品の生産が行われている。現状では、熱間プレス成形前に、鋼材に対して孔明け加工やトリミングなどの切除加工を行い、しかる後、プレス成形することにより自動車部品を製造している。そのため、鋼材の位置決め精度などによって部品の精度が左右されてしまい、高精度の自動車部品が得られないという問題を有している。したがって、高精度が求められるボディ部品として採用するためには、プレス成形後に後加工が必要になり、それに伴って、加工工程数が増加し、部品のコスト高を招来してしまうことになる。
【０００３】
そこで、従来から、ダイクエンチ工法において、焼入れ温度まで加熱された板状の鋼材をプレス成形すると同時に、孔明け加工やトリミングなどの切除加工を行うことにより、加工工程数の増加を防ぎ、安価に部品を生産する技術が提案されている（例えば、特許文献１）。
このようなダイクエンチ工法では、プレス成形を受ける鋼材を例えば、７５０〜１０００℃の焼入れ温度まで予め加熱し、その鋼材を成形用プレス機に搬送して高温状態のまま鋼材を相対的に低温のプレス金型に設置し、該プレス金型でプレス成形すると同時に孔明け加工やトリミングなどの切除加工を行い、急冷させて製品に焼入れを行うことにより、引張強度等に優れた部品を製造している。
【０００４】
【特許文献１】特開２００５−２４８２５３号公報
【発明の開示】
【発明が解決しようとする課題】
【０００５】
ところで、上述したダイクエンチ工法にあっては、前工程の加熱炉で板状の鋼材を約９００℃の焼入れ温度まで加熱し、この加熱した板状の鋼材を搬送して、低温のプレス金型の上に載置しながら位置決めしている。この際、図５に示すように、高温に加熱された板状の鋼材１０は反ることが多く、プレス金型１の上に置いた時点で、ある部分は金型１に接触し、またある部分は金型１に接触しないことが起こるため、１枚の鋼材１０の中で異なる温度分布が発生してしまう。これにより、プレス金型１と接触した鋼材１０の部分１０ａは収縮し、プレス金型１と接触しない鋼材１０の部分１０ｂは収縮しないことになるので、プレス成形後の製品の寸法が狂い、高精度の製品が得られないことがある。
【０００６】
本発明は、このような実状に鑑みてなされたものであり、その目的は、簡単な構造で、焼入れ温度まで加熱された鋼材と金型との部分的な接触を避け、かつ当該鋼材の部分的な収縮を防止することにより、製品の寸法精度向上を図り、高品質の製品を生産することが可能なダイクエンチ工法におけるプレス加工装置を提供することにある。
【課題を解決するための手段】
【０００７】
上記従来技術の有する課題を解決するために、本発明は、焼入れ温度まで加熱された鋼材を上下一対の金型によってプレス成形すると共に、焼入れするためのダイクエンチ工法におけるプレス加工装置であって、前記下型の上面には、前記加熱された鋼材を設置する複数の突起が前記金型の幅方向の両側で、かつ長手方向に沿って間隔を置いて設けられている。
【０００８】
本発明のプレス加工装置において、前記突起は固定式の突起であり、これら固定式の突起は、前記金型を構成する上下型の成形領域外に設けられている一方、前記上型の下面には、型締め時に前記突起を逃がす複数の凹部が前記突起と対応する位置に設けられていることが好ましい。
【０００９】
また、本発明のプレス加工装置において、前記突起は、前記下型の上面に対して出没自在に構成された可動式の突起であり、これら可動式の突起は、前記金型を構成する上下型の成形領域内に設けられていることが好ましい。
【００１０】
［作用］
本発明のダイクエンチ工法におけるプレス加工装置では、金型を構成する下型の上面に、加熱された鋼材を設置する複数の突起が前記金型の幅方向の両側で、かつ長手方向に沿って間隔を置いて設けられているため、焼入れ温度まで加熱されて反った鋼材を金型に設置する際、下型の上面から突出している複数の突起で持ち上げて下型の上面と鋼材との部分的な面接触を避けることが可能となり、接触に伴う鋼材の収縮を防止した状態で上下型の型締めをすることによってプレス成形すると同時に、上下一対の金型間に保持された鋼材を急冷して焼入れすることが可能となる。
【００１１】
また、本発明のプレス加工装置では、前記突起は固定式の突起であり、これら固定式の突起は、前記金型を構成する上下型の成形領域外に設けられている一方、前記上型の下面には、型締め時に前記突起を逃がす複数の凹部が前記突起と対応する位置に設けられているため、金型が簡易な構造で済み、かつ上下型による鋼材のプレス成形を支障なく行うことが可能になる。
【００１２】
さらに、本発明のプレス加工装置では、前記突起は、前記下型の上面に対して出没自在に構成された可動式の突起であり、これら可動式の突起は、前記金型を構成する上下型の成形領域内に設けられているため、上下型の成形領域の内外を問わず設けることが可能となる上、上型の下面に突起を逃がす凹部を設ける必要が無くなる。
【発明の効果】
【００１３】
上述の如く、本発明のダイクエンチ工法におけるプレス加工装置は、焼入れ温度まで加熱された鋼材を上下一対の金型によってプレス成形すると共に、焼入れするためのものであって、前記下型の上面には、加熱された鋼材を設置する複数の突起が前記金型の幅方向の両側で、かつ長手方向に沿って間隔を置いて設けられているので、焼入れ温度まで加熱されて反った鋼材を下型の上面から突出している複数の突起の上に載せることにより金型に設置することができる。すなわち、本発明のプレス加工装置は、加熱されて反った鋼材を複数の突起で持ち上げて下型の上面と鋼材との部分的な面接触を避けることが可能となり、部分接触によって熱が奪われることから生じる鋼材の部分的な収縮を防止した状態で、プレス成形と焼入れを行うことができる。
したがって、本発明のプレス加工装置によれば、簡単な構造で、焼入れ温度まで加熱された鋼材と低温の金型との部分的な接触を回避でき、当該鋼材の部分的な収縮を防止することにより、製品の寸法精度向上を図り、高品質の製品を生産することができる。
【００１４】
また、本発明において、前記突起は固定式の突起であり、これら固定式の突起は、前記金型を構成する上下型の成形領域外に設けられている一方、前記上型の下面には、型締め時に前記突起を逃がす複数の凹部が前記突起と対応する位置に設けられているので、使用する金型の構造が簡易であり、コスト高を招くことはない。しかも、突起上に設置した鋼材は、上下型の型締めによって支障なくプレス成形されるので、寸法精度不良の発生を防ぎながら、長期間にわたって連続生産を行うことができる。
【００１５】
さらに、本発明において、前記突起は、前記下型の上面に対して出没自在に構成された可動式の突起であり、これら可動式の突起は、前記金型を構成する上下型の成形領域内に設けられているので、上下型の成形領域の内外を問わず設けることができ、使用する鋼材及び金型の範囲が広く、汎用性に優れている。しかも、上型の下面に突起を逃がす凹部を設ける必要が無いので、簡易な構造の上型をそのまま使用することができる。
【発明を実施するための最良の形態】
【００１６】
以下、本発明のダイクエンチ工法におけるプレス加工装置について、図面を参照しながら、その実施形態に基づき詳細に説明する。
図１〜図３は本発明の実施形態に係るプレス加工装置であって、図１は金型を構成する下型の上面の突起上に鋼材を設置した状態の縦断面図、図２は図１の平面図、図３は図２のＡ−Ａ線断面図である。
【００１７】
図１〜図３に示すように、本発明の実施形態に係るプレス加工装置は、ダイクエンチ工法によって板状の鋼材１０から所定の形状にプレス成形されかつ焼入れされた製品を生産する加工装置である。そのため、本実施形態のプレス加工装置は、設置された板状の鋼材１０を所定の形状にプレス成形するプレス金型１を備えており、このプレス金型１は、対向して配置した上下一対の金型である上型２と下型３とによって構成されている。また、上型２の下面にはポンチ部２ａが形成され、下型３の上面にはダイ部３ａが形成されており、これらダイ部３ａ及びポンチ部２ａは、断面ハット形状の製品２０と対応した形状の凹凸となっている。そして、上型２は、図示しないプレス加工装置の装置本体の下面に装着され、下型３は、プレス加工装置のベース（図示せず）上に配置されて取付けられている。本実施形態のプレス加工装置では、装置本体が図示しない駆動シリンダの作動ロッドに連結されて昇降可能となっており、ベースは図示しない床などに固定されている。
【００１８】
本実施形態の下型３の上面には、図１〜図３に示すように、焼入れ温度まで加熱された板状の鋼材１０を設置する複数個の突起４が金型の幅方向の両側に設けられ、かつ金型の長手方向に沿って一定の間隔を置いて設けられており、両側の突起４は、互いに対向する２列の平行関係で配置されている。これら突起４は、溶接やねじ止めなどの適宜手段で下型３の上面に固定された固定式の突起であり、下型３の上面からの突出高さは、載置した状態で、加熱されて反っている鋼材１０が下型３の上面に接触しない程度に設定されている。しかも、各突起４は、半球状に形成されており、設置する鋼材１０との接触面積をできる限り小さくして、点接触となるように設定されている。
また、突起４は、プレス金型１を構成する上型２及び下型３のプレス成形領域Ｐの外側に設けられている。一方、上型２の下面には、型締め時に突起４と干渉しないように、各突起４を逃がす複数の凹部５が各突起４と対応する位置にそれぞれ設けられており、各凹部５は、突起４が入り込める大きさの半球状に形成されている。
【００１９】
次に、本発明の実施形態のプレス加工装置のプレス金型１を使用し、ダイクエンチ工法にて製品２０を生産する方法について説明する。
先ず、前工程の加熱炉などによって、製品２０となる板状の鋼材１０を約９００℃の焼入れ温度まで加熱する。次いで、この加熱された鋼材１０を本実施形態のプレス金型１の設置箇所まで搬送し、型開きされている上型２と下型３との間に導入し、下型３の上面に設けられた複数個の突起４の上に載せて設置する（図１及び図２参照）。この状態では、反った鋼材１０が下型３の上面から持ち上がっている。
【００２０】
そして、図示しない駆動シリンダにより図外の装置本体を駆動し、上型２を下型３に向けて下降させ、プレス金型１を閉じる（図３参照）。すると、上型２と下型３との間に挟まれた鋼材１０は、ポンチ部２ａ及びダイ部３ａによって所定形状にプレス成形されると同時に、相対的に低温の上型２及び下型３によって急冷され、焼入れされることになる。この際、鋼材１０の幅方向の両側は、突起４よりも内側に移動され、下型２の突起４は、プレス成形領域Ｐの外側に位置し、型締め時において上型の凹部５に入り込むから、支障なくプレス成形することが可能である。その後、図示しない駆動シリンダにより図外の装置本体を駆動し、上型２を下型３から離間すべく上昇させてプレス金型１を開けば、所定形状にプレス成形され、かつ焼入れされた製品２０を取出すことが可能になる。
【００２１】
このように、本発明の実施形態のプレス加工装置によれば、プレス金型１の下型３の上面に複数個の突起４を設け、これら突起４の上に焼入れ温度まで加熱されて反った状態の鋼材１０を設置するようにしているため、プレス金型１の構造を複雑化せずに、下型３の上面と鋼材１０とが部分的に接触することはなくなり、それに伴って当該鋼材１０が部分的に収縮するのを防止でき、プレス成形と焼入れが行われて生産された製品２０の寸法精度を向上させることができる。
【００２２】
図４は、本発明の他の実施形態に係るプレス加工装置である。
この実施形態における突起１４は、上記実施形態の固定式の突起４に代えて、プレス金型１を構成する下型３の上面に設けられている。このような突起１４は、図４に示すように、下型３の上面に対して出没自在に構成された可動式の突起であり、これら可動式の突起１４は、プレス金型１を構成する上型２及び下型３のプレス成形領域Ｐの内側に設けられている。
可動式の突起１４は、焼入れ温度まで加熱された板状の鋼材１０を設置する突起本体１５と、該突起本体１５を上方へ向かって常に付勢するばね部材１６とを備えている。突起本体１５は、基板１５ａと該基板１５ａ上に設けられた突起部１５ｂとを有しており、基板１５ａは、下型３の上面に設けた収納穴１７内に抜け止めされた状態で上下動可能に配置され、ばね部材１６の付勢力を受けるようになっている。また、突起部１５ｂは、上端が板状の鋼材１０を点接触で支持すべく、円弧状に形成されている。一方、ばね部材１６は、収納穴１７内に収納配置した圧縮ばねで構成されている。その他の構成は上記実施形態と同様であり、これと同一の部位は同一の符号で示されている。
【００２３】
このような本発明の他の実施形態のプレス加工装置によれば、プレス金型１を構成する下型３の上面に可動式の突起１４が設けられているため、上記実施形態と同様の効果が得られる。また、これら可動式の突起１４は、プレス金型１を構成する上下型２，３のプレス成形領域Ｐ内に設けられているため、上下型２，３の成形領域Ｐの内外を問わず設けることができ、使用する鋼材１０及びプレス金型１の範囲が広くなる。
【００２４】
以上、本発明の実施の形態につき述べたが、本発明は既述の実施の形態に限定されるものではなく、本発明の技術的思想に基づいて各種の変形及び変更が可能である。
例えば、既述の実施形態のプレス加工装置では、固定式の突起４を上下型２，３のプレス成形領域Ｐの外側に設けたが、上型２の下面の形状を変更することにより、固定式の突起４を成形領域Ｐの内側に設けても良い。
また、既述の実施形態のプレス加工装置では、突起４，１４を長手方向に沿って一定の間隔を置いて設けると共に、両側の突起４，１４を互いに対向する２列の平行関係で配置したが、突起４，１４の設ける位置を変更することにより、突起４，１４を長手方向に沿って不規則な間隔を置いて配置したり、両側の突起４，１４を２列の非平行関係で配置したり等、しても良い。要は、突起４，１４がプレス金型１の幅方向の両側で、かつ長手方向に沿って間隔を置いて設けられていれば良い。
【図面の簡単な説明】
【００２５】
【図１】本発明の実施形態に係るプレス加工装置であって、金型を構成する下型の上面の固定式の突起上に鋼材を設置した状態を示す縦断面図である。
【図２】本発明の実施形態に係るプレス加工装置を上から見た、図１の平面図である。
【図３】図２におけるＡ−Ａ線断面図である。
【図４】本発明の他の実施形態に係るプレス加工装置であって、金型を構成する下型の上面の可動式の突起上に鋼材を設置した状態を示す縦断面図である。
【図５】従来のプレス加工装置であって、金型を構成する下型の上面に鋼材を設置した状態を示す縦断面図である。
【符号の説明】
【００２６】
１  プレス金型
２  上型
３  下型
４  固定式の突起
５  凹部
１０  鋼材
１４  可動式の突起
１５  突起本体
１６  ばね部材
１７  収納穴
２０  製品
Ｐ  プレス成形領域
【図１】
2009101378.tif 000003
【図２】
2009101378.tif 000004
【図３】
2009101378.tif 000005
【図４】
2009101378.tif 000006
【図５】
2009101378.tif 000007